(57)【特許請求の範囲】
【請求項１】
デバイス制御方法であって、前記方法が、
被制御デバイスに対応するコントロールウィジェットをロック画面中に表示することと、
前記コントロールウィジェットに対するトリガ操作が検出された場合に、前記コントロールウィジェットに対応する制御命令を決定することと、
前記被制御デバイスに前記制御命令を送信することであって、前記制御命令は、前記被制御デバイスに対して前記制御命令に対応する既定の操作を実行するよう命令するために用いられる、ことと、
前記被制御デバイスに対応するコントロールウィジェットをロック画面中に表示する前に、前記コントロールウィジェットの表示属性を取得することであって、前記表示属性は、前記ロック画面中に表示するか否かを指示するために用いられる、ことと、
前記コントロールウィジェットの表示属性を取得する前に、属性設定インタフェースを表示することであって、前記属性設定インタフェースは、前記コントロールウィジェットの設定オプションを含んでおり、前記コントロールウィジェットの表示属性は、前記コントロールウィジェットの設定オプションに対する設定操作に基づいて設定される、ことと
を含み、
前記コントロールウィジェットの設定オプションは、スマート表示属性設定オプション及び期間表示属性設定オプションを含み、前記スマート表示属性設定オプションがオンに設定されている時には、主制御デバイスと前記被制御デバイスとの間の距離の遠近に基づいて、前記コントロールウィジェットを前記ロック画面上に表示するか否かを設定するように構成され、前記期間表示属性設定オプションがオンに設定されている時には、前記コントロールウィジェットが前記ロック画面上に表示される期間を設定するように構成される、方法。
【請求項２】
前記被制御デバイスに対応するコントロールウィジェットをロック画面中に表示することが、
前記ロック画面中にデバイス識別子リストを表示することであって、前記デバイス識別子リストは、前記被制御デバイスの識別子を含んでいる、ことと、
前記被制御デバイスの識別子に対する選択操作が検出された場合に、前記ロック画面中の指定位置に前記被制御デバイスのコントロールパネルを表示することであって、前記コントロールパネルは、前記コントロールウィジェットを含んでいる、ことと
を含む、請求項１に記載の方法。
【請求項３】
前記方法が、さらに、
前記表示属性が前記ロック画面中に表示することを指示している場合に、前記被制御デバイスに対応するコントロールウィジェットを前記ロック画面中に表示することと
を含む、請求項１又は２に記載の方法。
【請求項４】
前記コントロールウィジェットに対するトリガ操作が検出された場合に、前記コントロールウィジェットに対応する制御命令を決定することが、
前記コントロールウィジェットに対するトリガ操作が検出された場合に、オーディオキャプチャユニットを通じて音をキャプチャすることと、
キャプチャされた前記音に対して音声認識を行うことにより、音声テキストを取得することと、
前記音声テキストに対応する前記制御命令を決定することと
を含む、請求項１〜３のいずれか１項に記載の方法。
【請求項５】
前記音声テキストに対応する前記制御命令を決定することが、
クラウドサーバに問い合わせ要求を送信することであって、前記問い合わせ要求は、前記音声テキストを含んでいる、ことと、
前記クラウドサーバが前記音声テキストに基づいて決定及び返送した前記制御命令を受信することと
を含む、請求項４に記載の方法。
【請求項６】
デバイス制御装置であって、前記装置が、
被制御デバイスに対応するコントロールウィジェットをロック画面中に表示するように構成されたコントロールウィジェット表示モジュールと、
前記コントロールウィジェットに対するトリガ操作が検出された場合に、前記コントロールウィジェットに対応する制御命令を決定するように構成された命令決定モジュールと、
前記被制御デバイスに前記制御命令を送信するように構成された送信モジュールであって、前記制御命令は、前記被制御デバイスに対して前記制御命令に対応する既定の操作を実行するよう命令するために用いられる、送信モジュールと、
前記コントロールウィジェット表示モジュールが前記被制御デバイスに対応するコントロールウィジェットをロック画面中に表示する前に、前記コントロールウィジェットの表示属性を取得するように構成された属性取得モジュールであって、前記表示属性は、前記ロック画面中に表示するか否かを指示するために用いられる、属性取得モジュールと、
前記コントロールウィジェットの表示属性を取得する前に、属性設定インタフェースを表示するように構成されたインタフェース表示モジュールであって、前記属性設定インタフェースは、前記コントロールウィジェットの設定オプションを含んでおり、前記コントロールウィジェットの表示属性は、前記コントロールウィジェットの設定オプションに対する設定操作に基づいて設定される、インタフェース表示モジュールと、
を含み、
前記コントロールウィジェットの設定オプションは、スマート表示属性設定オプション及び期間表示属性設定オプションを含み、前記スマート表示属性設定オプションがオンに設定されている時には、主制御デバイスと前記被制御デバイスとの間の距離の遠近に基づいて、前記コントロールウィジェットを前記ロック画面上に表示するか否かを設定するように構成され、前記期間表示属性設定オプションがオンに設定されている時には、前記コントロールウィジェットが前記ロック画面上に表示される期間を設定するように構成される、装置。
【請求項７】
前記コントロールウィジェット表示モジュールが、
前記ロック画面中にデバイス識別子リストを表示するように構成された第１表示サブモジュールであって、前記デバイス識別子リストは、前記被制御デバイスの識別子を含んでいる、第１表示サブモジュールと、
前記被制御デバイスの識別子に対する選択操作が検出された場合に、前記ロック画面中の指定位置に前記被制御デバイスのコントロールパネルを表示するように構成された第２表示サブモジュールであって、前記コントロールパネルは、前記コントロールウィジェットを含んでいる、第２表示サブモジュールと
を含む、請求項６に記載の装置。
【請求項８】
前記装置が、さらに、
前記コントロールウィジェット表示モジュールが、前記表示属性が前記ロック画面中に表示することを指示している場合に、前記被制御デバイスに対応するコントロールウィジェットを前記ロック画面中に表示するように構成されている、請求項６又は７に記載の装置。
【請求項９】
前記命令決定モジュールが、
前記コントロールウィジェットに対するトリガ操作が検出された場合に、オーディオキャプチャユニットを通じて音をキャプチャするように構成されたオーディオキャプチャサブモジュールと、
キャプチャされた前記音に対して音声認識を行うことにより、音声テキストを取得するように構成された音声認識サブモジュールと、
前記音声テキストに対応する前記制御命令を決定するように構成された命令決定サブモジュールと
を含む、請求項６〜８のいずれか１項に記載の装置。
【請求項１０】
前記命令決定サブモジュールが、
クラウドサーバに問い合わせ要求を送信するように構成された送信ユニットであって、前記問い合わせ要求は、前記音声テキストを含んでいる、送信ユニットと、
前記クラウドサーバが前記音声テキストに基づいて決定及び返送した前記制御命令を受信するように構成された受信ユニットと
を含む、請求項９に記載の装置。
【請求項１１】
コンピュータ上で動作する際に、請求項１〜５のいずれか１項に記載のデバイス制御方法を該コンピュータに実行させるための、コンピュータプログラム。
【請求項１２】
コンピュータ読み取り可能記憶媒体であって、該コンピュータ読み取り可能記憶媒体に保存された請求項１１に記載のコンピュータプログラムを含む、コンピュータ読み取り可能記憶媒体。
【発明の詳細な説明】
【技術分野】
【０００１】
関連出願の相互参照
本出願は、２０１６年５月９日に中国国家知識産権局に出願された中国特許出願第２０１６１０３０２８０３．１号に基づくものであると共に、該中国特許出願の優先権を主張するものであり、該中国特許出願の全ての内容が、参照により本出願に組み込まれる。
【０００２】
技術分野
本開示は、制御技術分野に関し、より具体的には、デバイス制御方法及び装置に関する。
【背景技術】
【０００３】
日常生活において、携帯電話は、いくつかの電子デバイスの主制御デバイスとして用いることにより、該電子デバイスを制御して関連する操作を行わせること、例えば、テレビを制御してチャンネルやボリュームを変更することができる。
【０００４】
関連技術では、携帯電話がロック画面状態にある時に、ユーザは、携帯電話を介して別の電子デバイスを制御して関連する操作を行わせる場合には、まず携帯電話のロック画面状態を解除してから、アンロック画面状態の携帯電話において電子デバイスを制御することが可能なアプリケーション（ＡＰＰ）を開き、該ＡＰＰ中にて対応する制御機能を使用することによって該電子デバイスを制御して関連する操作を行わせる必要がある。
【発明の概要】
【発明が解決しようとする課題】
【０００５】
本開示の実施形態は、デバイス制御方法及び装置を提供する。その技術的解決手段は、以下の通りである。
【課題を解決するための手段】
【０００６】
本開示における実施形態の第１態様によれば、デバイス制御方法が提供され、前記方法が、
被制御デバイスに対応するコントロールウィジェットをロック画面中に表示することと、
前記コントロールウィジェットに対するトリガ操作が検出された場合に、前記コントロールウィジェットに対応する制御命令を決定することと、
前記被制御デバイスに前記制御命令を送信することであって、前記制御命令は、前記被制御デバイスに対して前記制御命令に対応する既定の操作を実行するよう命令するために用いられる、ことと
を含んでいる。
【０００７】
選択的には、前記被制御デバイスに対応するコントロールウィジェットをロック画面中に表示することが、
前記ロック画面中にデバイス識別子リストを表示することであって、前記デバイス識別子リストは、前記被制御デバイスの識別子を含んでいる、ことと、
前記被制御デバイスの識別子に対する選択操作が検出された場合に、前記ロック画面中の指定位置に前記被制御デバイスのコントロールパネルを表示することであって、前記コントロールパネルは、前記コントロールウィジェットを含んでいる、ことと
を含んでいる。
【０００８】
選択的には、前記方法が、さらに、
前記被制御デバイスに対応するコントロールウィジェットをロック画面中に表示する前に、前記コントロールウィジェットの表示属性を取得することであって、前記表示属性は、前記ロック画面中に表示するか否かを指示するために用いられる、ことと、
前記表示属性が前記ロック画面中に表示することを指示している場合に、前記被制御デバイスに対応するコントロールウィジェットを前記ロック画面中に表示することと
を含んでいる。
【０００９】
選択的には、前記方法が、さらに、
前記コントロールウィジェットの表示属性を取得する前に、属性設定インタフェースを表示することであって、前記属性設定インタフェースは、前記コントロールウィジェットの設定オプションを含んでいる、ことと、
前記コントロールウィジェットの設定オプションに対する設定操作に基づいて、前記コントロールウィジェットの表示属性を設定することと
を含んでいる。
【００１０】
選択的には、前記コントロールウィジェットに対するトリガ操作が検出された場合に、前記コントロールウィジェットに対応する制御命令を決定することが、
前記コントロールウィジェットに対するトリガ操作が検出された場合に、オーディオキャプチャユニットを通じて音をキャプチャすることと、
キャプチャされた前記音に対して音声認識を行うことにより、音声テキストを取得することと、
前記音声テキストに対応する前記制御命令を決定することと
を含んでいる。
【００１１】
選択的には、前記音声テキストに対応する前記制御命令を決定することが、
クラウドサーバに問い合わせ要求を送信することであって、前記問い合わせ要求は、前記音声テキストを含んでいる、ことと、
前記クラウドサーバが前記音声テキストに基づいて決定及び返送した前記制御命令を受信することと
を含んでいる。
【００１２】
本開示における実施形態の第２態様によれば、デバイス制御装置が提供され、前記装置が、
被制御デバイスに対応するコントロールウィジェットをロック画面中に表示するように構成されたコントロールウィジェット表示モジュールと、
前記コントロールウィジェットに対するトリガ操作が検出された場合に、前記コントロールウィジェットに対応する制御命令を決定するように構成された命令決定モジュールと、
前記被制御デバイスに前記制御命令を送信するように構成された送信モジュールであって、前記制御命令は、前記被制御デバイスに対して前記制御命令に対応する既定の操作を実行するよう命令するために用いられる、送信モジュールと
を含んでいる。
【００１３】
選択的には、前記コントロールウィジェット表示モジュールが、
前記ロック画面中にデバイス識別子リストを表示するように構成された第１表示サブモジュールであって、前記デバイス識別子リストは、前記被制御デバイスの識別子を含んでいる、第１表示サブモジュールと、
前記被制御デバイスの識別子に対する選択操作が検出された場合に、前記ロック画面中の指定位置に前記被制御デバイスのコントロールパネルを表示するように構成された第２表示サブモジュールであって、前記コントロールパネルは、前記コントロールウィジェットを含んでいる、第２表示サブモジュールと
を含んでいる。
【００１４】
選択的には、前記装置が、さらに、
前記コントロールウィジェット表示モジュールが前記被制御デバイスに対応するコントロールウィジェットをロック画面中に表示する前に、前記コントロールウィジェットの表示属性を取得するように構成された属性取得モジュールであって、前記表示属性は、前記ロック画面中に表示するか否かを指示するために用いられる、属性取得モジュールを含んでおり、
前記コントロールウィジェット表示モジュールが、前記表示属性が前記ロック画面中に表示することを指示している場合に、前記被制御デバイスに対応するコントロールウィジェットを前記ロック画面中に表示するように構成されている。
【００１５】
選択的には、前記装置が、さらに、
前記コントロールウィジェットの表示属性を取得する前に、属性設定インタフェースを表示するように構成されたインタフェース表示モジュールであって、前記属性設定インタフェースは、前記コントロールウィジェットの設定オプションを含んでいる、インタフェース表示モジュールと、
前記コントロールウィジェットの設定オプションに対する設定操作に基づいて、前記コントロールウィジェットの表示属性を設定するように構成された設定モジュールと
を含んでいる。
【００１６】
選択的には、前記命令決定モジュールが、
前記コントロールウィジェットに対するトリガ操作が検出された場合に、オーディオキャプチャユニットを通じて音をキャプチャするように構成されたオーディオキャプチャサブモジュールと、
キャプチャされた前記音に対して音声認識を行うことにより、音声テキストを取得するように構成された音声認識サブモジュールと、
前記音声テキストに対応する前記制御命令を決定するように構成された命令決定サブモジュールと
を含んでいる。
【００１７】
選択的には、前記命令決定サブモジュールが、
クラウドサーバに問い合わせ要求を送信するように構成された送信ユニットであって、前記問い合わせ要求は、前記音声テキストを含んでいる、送信ユニットと、
前記クラウドサーバが前記音声テキストに基づいて決定及び返送した前記制御命令を受信するように構成された受信ユニットと
を含んでいる。
【００１８】
本開示における実施形態の第３態様によれば、デバイス制御装置が提供され、前記装置が、
プロセッサと、
前記プロセッサにより実行可能な命令を記憶するように構成されたメモリと
を含んでおり、
前記プロセッサは、
被制御デバイスに対応するコントロールウィジェットをロック画面中に表示し、
前記コントロールウィジェットに対するトリガ操作が検出された場合に、前記コントロールウィジェットに対応する制御命令を決定し、
前記被制御デバイスに前記制御命令を送信し、前記制御命令は、前記被制御デバイスに対して前記制御命令に対応する既定の操作を実行するよう命令するために用いられる
ように構成されている。
【００１９】
本開示の実施形態により提供される技術的解決手段は、以下の有利な効果を有し得る。
【００２０】
本開示の実施形態では、被制御デバイスに対応するコントロールウィジェットがロック画面中に表示され、前記コントロールウィジェットに対するトリガ操作が検出された場合に、前記コントロールウィジェットに対応する制御命令が決定され、前記被制御デバイスに前記制御命令が送信され、前記制御命令は、前記被制御デバイスに対して前記制御命令に対応する既定の操作を実行するよう命令するために用いられる。これにより、ユーザは、主制御デバイスをアンロックせず、デバイスを制御するためのアプリケーションに入ることなく、主制御デバイスのロック画面上にてコントロールウィジェットを介して迅速に被制御デバイスを制御して関連する操作を行うことができる。したがって、ロック画面状態の主制御デバイスを通じて被制御デバイスの制御を行う操作ステップが簡略化される。
【００２１】
上述の一般的説明及び後述の詳細な説明は、単なる例示及び説明であって、本開示を限定するように解釈されるものではないことを理解されたい。
【図面の簡単な説明】
【００２２】
添付の図面は、本明細書に組み込まれると共に本明細書の一部を構成し、本開示に一致する実施形態を示しており、本明細書と共に本開示の原理を説明するのに役立つ。
【００２３】
【図１】図１は、本開示の例示のデバイス制御方法が適用される実施環境を表す概略図である。
【図２】図２は、例示の実施形態に基づくデバイス制御方法のフローチャートである。
【図３】図３は、別の例示の実施形態に基づくデバイス制御方法のフローチャートである。
【図４】図４は、図３に示す実施形態における属性設定インタフェースのインタフェース概略図である。
【図５】図５は、図３に示す実施形態におけるデバイス識別子リスト表示のインタフェース概略図である。
【図６】図６は、図３に示す実施形態における別のデバイス識別子リスト表示のインタフェース概略図である。
【図７】図７は、図３に示す実施形態におけるロック画面の概略図である。
【図８】図８は、図３に示す実施形態における被制御デバイスのコントロールパネルの切換を表す概略図である。
【図９】図９は、また別の例示の実施形態に基づくデバイス制御方法のフローチャートである。
【図１０】図１０は、図９に示す実施形態における属性設定インタフェースのインタフェース概略図である。
【図１１】図１１は、図９に示す実施形態における音声制御コントロールウィジェットを表示するインタフェース概略図である。
【図１２】図１２は、例示の実施形態に基づくデバイス制御装置のブロック図である。
【図１３】図１３は、別の例示の実施形態に基づくデバイス制御装置のブロック図である。
【図１４】図１４は、例示の実施形態に基づく別の装置のブロック図である。
【発明を実施するための形態】
【００２４】
以下、例示の実施形態について詳細に説明し、その例示を添付の図面中に示す。以下の説明が添付の図面に言及する際には、他に述べられていない限り、異なる図面における同一の数字は同一又は類似の要素を示す。例示の実施形態に係る以下の説明にて明示される実施方式は、本開示と一致する全ての実施方式を表すものではない。むしろ、それらは、添付の特許請求の範囲に詳述されるような、本開示に関するいくつかの態様と一致する方法及び装置の単なる例である。
【００２５】
図１は、本開示の例示のデバイス制御方法が適用される実施環境を表す概略図である。該実施環境は、主制御デバイス１１０と、被制御デバイス１２０と、クラウドサーバ１３０とを含み得る。
【００２６】
主制御デバイス１１０は、被制御デバイス１２０に制御命令を送信するように構成されており、該主制御デバイス１１０と被制御デバイス１２０とは、無線ネットワークを介して接続されている。無線ネットワークは、２Ｇ、３Ｇ又は４Ｇネットワークであってもよく、無線ローカルネットワークであってもよい。他にも、主制御デバイス１１０と被制御デバイス１２０とは、赤外線データ協会（ＩｒＤＡ）技術、超広帯域（ＵＷＢ）技術、ブルートゥース（ＢＴ）技術及びその他の技術によって接続されてもよい。
【００２７】
主制御デバイス１１０には、情報を表示すると共にユーザのタッチ操作を受信するために用いられるタッチスクリーンが設けられていてもよい。主制御デバイス１１０は、携帯電話、タブレットコンピュータ、ウェアラブルデバイス及びＭＰ３／ＭＰ４等のような、ロック画面状態を有する端末であってもよい。
【００２８】
被制御デバイス１２０は、主制御デバイスによって送信された制御命令を受信すると共に、該制御命令によって指示される動作を行うように構成されている。被制御デバイス１２０は、空調機、テレビ、温水器、空気清浄器、浄水器、ランプ、カメラ、電源スイッチ、赤外線センサ、スマートソケット等のスマートデバイス又はスマートシーンを構成するデバイスであってもよい。
【００２９】
選択的には、該実施環境は、さらにクラウドサーバ１３０を含んでいてもよい。クラウドサーバ１３０は、無線ネットワークを介して主制御デバイス１１０に接続されている。クラウドサーバは、音声認識サービスを提供すると共に、認識された制御命令を主制御デバイス１１０に返送してもよい。
【００３０】
以下、図１に示される実施環境を例に挙げて、本開示の各実施形態によって提供される技術的解決手段を説明及び例証する。
【００３１】
図２は、例示の実施形態に基づくデバイス制御方法のフローチャートである。該方法は、図１に示される実施環境における主制御デバイス１１０によって実行されてもよく、該方法は、以下のステップを含んでいてもよい。
【００３２】
ステップ２０１では、被制御デバイスに対応するコントロールウィジェットをロック画面中に表示する。
【００３３】
ステップ２０２では、該コントロールウィジェットに対するトリガ操作が検出された場合に、該コントロールウィジェットに対応する制御命令を決定する。
【００３４】
ステップ２０３では、該被制御デバイスに該制御命令を送信する。該制御命令は、該被制御デバイスに対して該制御命令に対応する既定の操作を実行するよう命令するために用いられる。
【００３５】
以上のように、本開示の実施形態により提供されるデバイス制御方法では、被制御デバイスに対応するコントロールウィジェットがロック画面中に表示され、該コントロールウィジェットに対するトリガ操作が検出された場合に、該コントロールウィジェットに対応する制御命令が決定され、該被制御デバイスに該制御命令が送信され、該制御命令は、該被制御デバイスに対して該制御命令に対応する既定の操作を実行するよう命令するために用いられる。これにより、ユーザは、主制御デバイスをアンロックせず、デバイスを制御するためのアプリケーションに入ることなく、主制御デバイスのロック画面上にてコントロールウィジェットを介して迅速に被制御デバイスを制御して関連する操作を行うことができる。したがって、ロック画面状態の主制御デバイスを通じて被制御デバイスの制御を行う操作ステップが簡略化される。
【００３６】
図３は、別の例示の実施形態に基づくデバイス制御方法のフローチャートである。該方法は、図１に示される実施環境における主制御デバイス１１０によって実行されてもよく、該方法は、以下のステップを含んでいてもよい。
【００３７】
ステップ３０１では、属性設定インタフェースを表示する。該属性設定インタフェースは、該コントロールウィジェットの設定オプションを含んでいる。
【００３８】
該設定オプションは、表示属性設定オプションを含んでいてもよく、ユーザは事前に、被制御デバイスの属性設定オプションによって、被制御デバイスに対応するコントロールウィジェットをロック画面中に表示するか否かを設定してもよく、被制御デバイスに対応するどのコントロールウィジェットを表示するかを設定してもよい。選択的には、該設定オプションはまた、ロック画面中に表示されるコントロールウィジェットの輝度及び色彩を設定するための輝度属性設定オプション及び色彩属性設定オプションを含んでいてもよい。
【００３９】
例えば、図４を参照すると、図４は、図３に示す実施形態における属性設定インタフェースのインタフェース概略図である。属性設定インタフェース４００中に示される設定項目４０１、設定項目４０２及び設定項目４０３については、各設定項目は、１つの第１コントロールウィジェットの設定オプションを表示するように構成され、各第１コントロールウィジェットは、１つの被制御デバイスに対応している。設定項目４０４、設定項目４０５及び設定項目４０６については、各設定項目は、１つの第２コントロールウィジェットの設定オプション表示するように構成されており、各第２コントロールウィジェットは、１つのスマートシーンに対応しており、あるスマートシーンが開始され、何らかの被制御デバイスの動作条件が変化した時、該被制御デバイスと関連する他の被制御デバイスが、既定の関連する動作を行う。
【００４０】
図４において、各コントロールウィジェットに対応する設定項目は、対応する属性設定領域を有している。設定項目４０１を例に挙げると、該設定項目４０１に対応する属性設定領域は、属性設定領域４１である。該属性設定領域４１では、設定可能な属性は、表示属性設定オプション４１ａ、輝度属性設定オプション４１ｂ及び色彩属性設定オプション４１ｃを含み得る。表示属性は、設定項目４０１の主要属性である。設定項目４０１の表示属性がオンに設定されている時には、輝度属性設定オプション４１ｂ及び色彩属性設定オプション４１ｃは、属性設定領域４１に表示される。設定項目４０１の表示属性が非表示に設定されている時には、輝度属性設定オプション４１ｂ及び色彩属性設定オプション４１ｃは、属性設定領域４１に表示されない。輝度属性設定オプション４１ｂは、該コントロールウィジェットが該ロック画面中に表示される際における表示画面全体の輝度を指示するように構成される。色彩属性設定オプション４１ｃは、該コントロールウィジェットが該ロック画面に表示される際における、該コントロールウィジェットの選択された状態の色彩及び選択されていない状態の色彩を指示するように構成される。例えば、被制御デバイスであるテレビのオンオフを指示するボタンは、オン状態の時はオレンジ色となり、オフ状態の時には灰色となる。色彩属性設定オプション４１ｃは、入力ボックスとして表示されてもよい。
【００４１】
選択的には、コントロールウィジェットに対応する設定項目は、上述の設定可能な属性４１ａ、４１ｂ及び４１ｃ以外にも、アニメーション表示属性設定オプション、期間表示属性設定オプション及びスマート表示属性設定オプションをさらに含んでいてもよい。
【００４２】
アニメーション表示属性設定オプションは、コントロールウィジェットを表示する様々なアニメーション形式を含んでいてもよく、例えば、点滅、回転、反転及び脈動等を含んでいてもよい。該アニメーション形式は、ロック画面におけるコントロールウィジェット上に表示される文字が、既定のアニメーション表示方式に従って表示されるか否かを指示するように構成される。例えば、第１コントロールウィジェット上の「空調機」の文字は、点滅のアニメーション効果により表示される。期間表示属性設定オプションは、コントロールウィジェットの表示属性が「オン」に設定されている時に、コントロールウィジェットがロック画面上に表示される期間を設定するように構成される。例えば、「空調機」コントロールウィジェットは、７：００〜８：３０以及び１６：００〜２２：００に表示されるように設定される。スマート表示属性設定オプションは、オン及びオフの２つの状態を含んでおり、該スマート表示属性がオンに設定されている時には、主制御デバイスと被制御デバイスとの間の距離の遠近に基づいて、コントロールウィジェットをロック画面上に表示するか否かを選択するように構成される。例えば、「テレビ」第１コントロールウィジェットは、主制御デバイスと被制御デバイス「テレビ」との距離が、既定の閾値よりも大きい時には表示されず、既定の閾値よりも小さい時には表示される。
【００４３】
ステップ３０２では、該コントロールウィジェットの設定オプションに対する設定操作に基づいて、該コントロールウィジェットの表示属性を設定する。
【００４４】
図４に示される属性設定インタフェースを例に挙げると、本ステップでは、該コントロールウィジェットの表示属性設定オプション、輝度属性設定オプション及び色彩属性設定オプションの設定操作に基づいて、該コントロールウィジェットの表示属性を設定することができる。あるいは、本ステップでは、該コントロールウィジェットのアニメーション表示属性設定オプション、期間表示属性設定オプション及びスマート表示属性設定オプションの設定操作に基づいて、該コントロールウィジェットの表示属性を設定することができる。
【００４５】
ステップ３０３では、画面がアンロックされた場合に、該コントロールウィジェットの表示属性を取得する。該表示属性は、該ロック画面中に表示するか否かを指示するように構成される。
【００４６】
該コントロールウィジェットの表示属性は、オン及び非表示の２つの状態を含んでいる。オン状態は、コントロールウィジェットをロック画面中に表示するよう指示するように構成され、非表示状態は、コントロールウィジェットをロック画面中に表示しないよう指示するように構成される。例えば、図４に示されるように、ユーザが属性設定インタフェース中にてテレビの表示属性設定オプションを「オン」に設定している時には、該テレビに対応するコントロールウィジェットの表示属性はオン状態となる。これに対して、ユーザが属性設定インタフェース中にてテレビの表示属性設定オプションを「オフ」に設定している時には、該テレビに対応するコントロールウィジェットの表示属性は非表示状態となる。
【００４７】
該コントロールウィジェットの表示属性が該ロック画面中への表示を指示している時、該被制御デバイスに対応するコントロールウィジェットをロック画面中に表示するステップ３０４及び３０５が実行される。
【００４８】
ステップ３０４では、該表示属性がロック画面中への表示を指示している時に、該ロック画面中にデバイス識別子リストを表示する。該デバイス識別子リストは、該被制御デバイスの識別子を含んでいる。
【００４９】
ある実現可能な実施方式では、該ロック画面中にタブ形式でデバイス識別子リストを表示する。図５に参照され得るように、図５は、図３に示す実施形態におけるデバイス識別子リスト表示のインタフェース概略図である。該デバイス識別子リストは、横列に並ぶタブ形式でロック画面中に表示されてもよく、例えば、ロック画面上部５１に位置していてもよく、ロック画面中央下部５２に位置していてもよい。該デバイス識別子リストはまた、縦列に並ぶタブ形式でロック画面中に表示されてもよく、例えば、ロック画面左側５３に位置していてもよく、ロック画面右側５４に位置していてもよい。
【００５０】
上述の図５に示されるようなデバイス識別子リストをタブ形式で表示する以外にも、デバイス識別子リストはまた、分散タグ形式で表示されてもよい。図６を参照すると、図６は、図３に示す実施形態における別のデバイス識別子リスト表示のインタフェース概略図であって、デバイス識別子リスト中の各デバイス識別子は、ロック画面の四方周縁に密接する位置、例えば、図６に示されるデバイス識別子６１、デバイス識別子６２及びデバイス識別子６３のある位置に、タグ形式で表示されている。なお、図６においてデバイス識別子６１、デバイス識別子６２及びデバイス識別子６３のある位置は、単なるデバイス識別子の出現可能な位置であって、ロック画面の四方周縁に密接する位置以外の位置を除外するものではない。
【００５１】
ステップ３０５では、該被制御デバイスの識別子に対する選択操作が検出された場合に、該ロック画面中の指定位置に該被制御デバイスのコントロールパネルを表示する。該コントロールパネルは、該コントロールウィジェットを含んでいる。
【００５２】
該被制御デバイスの識別子に対する選択操作は、タップ、ドラッグ及びプレスであってもよい。該被制御デバイスの識別子に対するタップ又はドラッグ操作が検出された時には、該ロック画面中の指定位置に該被制御デバイスのコントロールパネルを表示する。該被制御デバイスの識別子に対するタップ又はドラッグ操作が検出されたことが決定した後、種々のアニメーション効果によって指定位置に該被制御デバイスのコントロールパネルを表示する。選択的には、プレス操作は、弱いプレス又は強いプレスであってもよい。該被制御デバイスの識別子が弱くプレスされている時には、プレビューモードにて該被制御デバイスのコントロールパネルを表示する。被制御デバイスの識別子に対する操作が弱いプレス状態からタッチされていない状態（識別子に対するタッチ操作のない状態）に変化した時は、ロック画面は、プレビューモードを終了して弱いプレス操作の前のインタフェースに復帰する。被制御デバイスに対する操作が弱いプレス状態から強いプレス状態に変化した時には、ロック画面は、プレビューモードにて表示されていた該被制御デバイスのコントロールパネルに切り換わる。強いプレス状態では、インタフェースは、該コントロールパネルに直接切り換わり、該被制御デバイスのコントロールパネルを表示する。
【００５３】
ステップ３０６では、該コントロールウィジェットに対するトリガ操作が検出された場合に、該コントロールウィジェットに対応する制御命令を決定する。
【００５４】
主制御デバイスが該コントロールウィジェットに対するトリガ操作を検出した時に、主制御デバイス側では、トリガ操作によってタップされたボタンと制御命令との対応関係に基づいて、該コントロールウィジェットに対応する制御命令を決定する。
【００５５】
図７は、図３に示す実施形態におけるロック画面の概略図である。図７に示されるように、ロック画面７００中には、被制御デバイスの識別子７０１、７０２及び７０３と、被制御デバイスの識別子７０１に対応するコントロールパネル７１とがあり、コントロールパネル７１は、スイッチボタン７１ａと、第１調節ボタン７１ｂと、第２調節ボタン７１ｃと、第１既定ボタン７１ｄと、第２既定ボタン７１ｅと、第３既定ボタン７１ｆとを含んでいる。コントロールパネル７１中の７１ａ〜７１ｆがユーザの操作によってトリガされた時、主制御デバイスは、何らかの被制御デバイスに対する単一の制御命令を生成する。スマートシーン７２、スマートシーン７３及びスマートシーン７４がユーザのトリガ操作によってオンにされた後、それらのスマートシーンに対応するデバイスは、スマートシーンの既定の動作モードに従って動作を開始する。
【００５６】
なお、該コントロールパネル７１中に表示されるボタンの数は、ロック画面のサイズにより制限される。そのため、被制御デバイスを制御するのによく使用されるボタンのみが表示されるか、１つの既定ボタンのみが表示されており、該ボタンをタップすると、複数の他の既定ボタンを含むインタフェースに切り換わる。図８に示されるように、図８は、図３に示す実施形態における被制御デバイスのコントロールパネルの切換を表す概略図である。図８では、被制御デバイスに対する第１コントロールパネル８００中の機能ボタン８１の選択操作を検出した時に、ロック画面は、第２コントロールパネル８０１を表示するインタフェースに切り換わる。被制御デバイスの第２コントロールパネルは、平面空間が制限されているために第１コントロールパネル中に配置することができないボタンを配置可能であるように設定される。
【００５７】
ステップ３０６の状況が満たされる時には、ステップ３０７を実行する。
【００５８】
ステップ３０７では、該被制御デバイスに該制御命令を送信する。該制御命令は、該被制御デバイスに対して該制御命令に対応する既定の操作を実行するよう命令するように構成される。
【００５９】
主制御デバイスは、被制御デバイスに制御命令を送信し、被制御デバイスは、制御命令を受信した後、制御命令中の既定の操作を実行する。
【００６０】
ある実現可能な実施方式では、トリガ操作が実行されたコントロールウィジェットが、被制御デバイスを制御することに対応する第１コントロールウィジェットである時、主制御デバイスは、以下に例示するように制御命令を送信し、対応する操作を被制御デバイスに行わせてもよい。例えば、ロック画面中における、被制御デバイスのタグ「テレビ」に対応するコントロールパネル中の次のチャンネルについてのコントロールウィジェットがタップされた後、主制御デバイスは、被制御デバイスのタグ及び対応するコントロールパネル中のコントロールウィジェットに基づいて、対応する制御命令を取得する。その後、主制御デバイスは、テレビに該制御命令を送信し、該テレビは、該制御命令を送信した後に、該制御命令に基づいて次のチャンネルに切り換える。
【００６１】
別の実現可能な実施方式では、トリガ操作が実行されたコントロールウィジェットが、スマートシーンを制御することに対応する第２コントロールウィジェットである時、主制御デバイスは、以下に例示するように制御命令を送信し、対応する操作をスマートシーン中の被制御デバイスに行わせてもよい。例えば、ロック画面における、被制御デバイスのタグ「帰宅モード」に対応するスマートシーンがタップされてオンになった後、主制御デバイスは、スマートシーンのオン命令を生成する。該スマートシーンのオン命令は、該スマートシーン中の各スマートデバイスに直接送信されてもよく、又は、該スマートシーンを制御する制御デバイスに送信された後、該制御デバイスがスマートシーンのオン命令を各スマートデバイスに送信してもよく、それにより、スマートシーンにより設定された動作モードに従って動作を行うよう各スマートデバイスに指示する。ここで、該スマートシーンを制御する制御デバイスは、ホームゲートウェイ、ルータ又はクラウドサーバであってもよい。
【００６２】
以上のように、本開示の実施形態により提供されるデバイス制御方法では、属性設定インタフェースが表示され、該コントロールウィジェットの表示属性が設定され、その後に該コントロールウィジェットの表示属性が取得され、該ロック画面中に被制御デバイスの識別子を含むデバイス識別子リストが表示され、該被制御デバイスの識別子に対する選択操作が検出された場合に、該ロック画面中の指定位置に該被制御デバイスのコントロールパネル（コントロールウィジェットを含む）が表示され、該コントロールウィジェットに対するトリガ操作が検出された場合に、該コントロールウィジェットに対応する制御命令が決定され、該被制御デバイスに該制御命令に対応する既定の操作を実行するよう指示するための該制御命令が該被制御デバイスに送信される。これにより、ユーザは、主制御デバイスをアンロックせず、デバイスを制御するためのアプリケーションに入ることなく、主制御デバイスのロック画面上にてコントロールウィジェットを介して迅速に被制御デバイスを制御して関連する操作を行うことができる。したがって、ロック画面状態の主制御デバイスを通じて被制御デバイスの制御を行う操作ステップが簡略化される。
【００６３】
図９は、別の例示の実施形態に基づくデバイス制御方法のフローチャートである。該方法は、図１に示される実施環境における主制御デバイス１１０によって実行されてもよく、該方法は、以下のステップを含んでいてもよい。
【００６４】
ステップ９０１では、属性設定インタフェースを表示する。該属性設定インタフェースは、該コントロールウィジェットの設定オプションを含んでいる。
【００６５】
図１０を参照すると、図１０は、図９に示す実施形態における属性設定インタフェースのインタフェース概略図である。属性設定インタフェース１０００中に示される設定項目１００１について、該設定項目１００１は、音声制御コントロールウィジェットの表示属性１００１ａがオンであるか非表示であるかを設定するように構成される。
【００６６】
ステップ９０２では、該コントロールウィジェットの設定オプションに対する設定操作に基づいて、該コントロールウィジェットの表示属性を設定する。
【００６７】
前述のステップ９０１にて挙げられた例によると、該ステップでは、音声制御コントロールウィジェットの表示属性がオンであると決定する。あるいは、該ステップでは、音声制御コントロールウィジェットの表示属性がオフであると決定する。
【００６８】
ステップ９０３では、画面のアンロックを検出した場合に、該コントロールウィジェットの表示属性を取得する。該表示属性は、被制御デバイスのコントロールウィジェットを該ロック画面中に表示するか否かを指示するように構成される。
【００６９】
ステップ９０４では、該表示属性がロック画面中への表示を指示している時に、該ロック画面中に該被制御デバイスのコントロールウィジェットを表示する。
【００７０】
上述の図３に対応する実施形態と同様に、該ステップでは、まず該ロック画面中にデバイス識別子リストを表示してもよく、該デバイス識別子リストは、該被制御デバイスの識別子を含んでおり、続いて、該被制御デバイスの識別子に対する選択操作を検出した場合に、該ロック画面中の指定位置に該被制御デバイスのコントロールパネルを表示し、該コントロールパネルは、該コントロールウィジェットを含んでいる。
【００７１】
ステップ９０５では、該コントロールウィジェットに対するトリガ操作が検出された場合に、オーディオキャプチャユニットを通じて音をキャプチャする。
【００７２】
図１１を参照すると、図１１は、図９に示す実施形態における音声制御コントロールウィジェットを表示するインタフェース概略図である。図１１に示されるインタフェース中では、音声制御コントロールウィジェット１１０１が長押し又はタップされた時に、オーディオキャプチャユニットを介して音のキャプチャを開始する。選択的には、該オーディオキャプチャユニットは、主制御デバイス中に統合されている。
【００７３】
ステップ９０６では、キャプチャされた該音に対して音声認識を行うことにより、音声テキストを取得する。
【００７４】
主制御デバイスは、キャプチャされた該音に対して音声認識を行い、音声を該音声テキストとして認識する。音声テキストは、言語に対応する文字情報である。
【００７５】
ステップ９０６の実行完了後に、ステップ９０７及びステップ９１０を実行するか、ステップ９０８〜ステップ９１０を実行する。
【００７６】
ステップ９０７では、該音声テキストに対応する該制御命令を決定する。
【００７７】
ステップ９０７を実行するデバイスは、主制御デバイス側である。主制御デバイスは、ローカルに記憶された対応関係表に基づいて、該音声テキストに対応する該制御命令を検索する。
【００７８】
ステップ９０８では、クラウドサーバに問い合わせ要求を送信する。該問い合わせ要求は、該音声テキストを含んでいる。
【００７９】
該ステップでは、主制御デバイスは、認識された音声テキストをクラウドサーバに送信する。
【００８０】
クラウドサーバは、サーバ中に記憶された対応関係表に基づいて、該音声テキストに対応する制御命令を問い合わせるように構成される。
【００８１】
ステップ９０９では、該クラウドサーバが該音声テキストに基づいて決定及び返送した該制御命令を受信する。
【００８２】
主制御デバイスは、該クラウドサーバが該音声テキストに基づいて決定及び返送した該制御命令を受信する。
【００８３】
選択的には、ステップ９０８及びステップ９０９では、クラウドサーバを介して実行される動作は、ホームゲートウェイ、ルータ、ＬＡＮホスト又はワークステーションを介して行われてもよい。
【００８４】
ステップ９１０では、該被制御デバイスに該制御命令を送信する。該制御命令は、該被制御デバイスに対して該制御命令に対応する既定の操作を実行するよう命令するように構成される。
【００８５】
主制御デバイスは、被制御デバイスに制御命令を送信し、被制御デバイスは、制御命令を受信した後、制御命令中の既定の操作を実行する。
【００８６】
ある実現可能な実施方式では、主制御デバイスによって取得された制御命令が、被制御デバイスを制御することに対応している時、主制御デバイスは、以下に例示するように制御命令を送信し、対応する操作を被制御デバイスに行わせてもよい。例えば、ロック画面中における音声制御コントロールウィジェットがタップ操作されてトリガされた後、主制御デバイスは、ユーザの発した音声「テレビをオンにする」を受信して、該音声に対応する制御命令を取得する。その後、主制御デバイスは、テレビに該制御命令を送信し、該テレビは、該制御命令を送信した後に、該制御命令に基づいてテレビをオンにする。
【００８７】
別の実現可能な実施方式では、主制御デバイスによって取得された制御命令が、スマートシーンを制御することに対応している時、主制御デバイスは、以下に例示するように制御命令を送信し、対応する操作をスマートシーン中の被制御デバイスに行わせてもよい。例えば、ロック画面中における音声制御コントロールウィジェットがプレス操作されてトリガされた後、主制御デバイスは、ユーザの発した音声「帰宅モードをオンにする」を受信して、該音声に対応する制御命令を取得する。その後、主制御デバイスは、ホームゲートウェイにこのスマートシーン「帰宅モード」をオンにするためのオン命令を送信した後、該ホームゲートウェイがスマートシーンのオン命令を各スマートデバイスに送信するか、主制御デバイスは、該オン命令を該スマートシーン中の各スマートデバイスに直接送信して、スマートシーン「帰宅モード」により設定された動作モードに従って動作を行うよう各スマートデバイスに指示する。
【００８８】
以上のように、本開示の実施形態により提供されるデバイス制御方法では、属性設定インタフェースが表示され、該コントロールウィジェットの表示属性が設定され、その後に該コントロールウィジェットの表示属性が取得され、該ロック画面中に該被制御デバイスの音声制御コントロールウィジェットが表示され、該コントロールウィジェットに対するトリガ操作が検出された場合に、オーディオキャプチャユニットを通じて音がキャプチャされ、キャプチャされた該音に対して音声認識を行うことにより、音声テキストが取得され、該音声テキストに対応する該制御命令が決定され、該被制御デバイスに該制御命令が送信され、該制御命令は、該被制御デバイスに対して該制御命令に対応する既定の操作を実行するよう命令するために用いられる。これにより、ユーザは、主制御デバイスをアンロックせず、デバイスを制御するためのアプリケーションに入ることなく、主制御デバイスのロック画面上にてコントロールウィジェットを介して迅速に被制御デバイスを制御して関連する操作を行うことができる。したがって、ロック画面状態の主制御デバイスを通じて被制御デバイスの制御を行う操作ステップが簡略化される。
【００８９】
図１２は、例示の実施形態に基づくデバイス制御装置のブロック図である。該装置は、ハードウェア回路又はハードウェアとソフトウェアとの組み合わせの形態により、主制御デバイスの全部又は一部として構成されて、図２、図３又は図９に示されるデバイス制御方法を実施し得る。該装置は、コントロールウィジェット表示モジュール１２０１と、命令決定モジュール１２０２と、送信モジュール１２０３とを含み得る。
【００９０】
コントロールウィジェット表示モジュール１２０１は、被制御デバイスに対応するコントロールウィジェットをロック画面中に表示するように構成されている。
【００９１】
命令決定モジュール１２０２は、該コントロールウィジェットに対するトリガ操作が検出された場合に、該コントロールウィジェットに対応する制御命令を決定するように構成されている。
【００９２】
送信モジュール１２０３は、該被制御デバイスに該制御命令を送信するように構成されている。該制御命令は、該被制御デバイスに対して該制御命令に対応する既定の操作を実行するよう命令するように構成される。
【００９３】
以上のように、本開示の実施形態により提供されるデバイス制御装置では、被制御デバイスに対応するコントロールウィジェットがロック画面中に表示され、該コントロールウィジェットに対するトリガ操作が検出された場合に、該コントロールウィジェットに対応する制御命令が決定され、該被制御デバイスに該制御命令が送信され、該制御命令は、該被制御デバイスに対して該制御命令に対応する既定の操作を実行するよう命令するために用いられる。これにより、ユーザは、主制御デバイスをアンロックせず、デバイスを制御するためのアプリケーションに入ることなく、主制御デバイスのロック画面上にてコントロールウィジェットを介して迅速に被制御デバイスを制御して関連する操作を行うことができる。したがって、ロック画面状態の主制御デバイスを通じて被制御デバイスの制御を行う操作ステップが簡略化される。
【００９４】
図１３は、別の例示の実施形態に基づくデバイス制御装置のブロック図である。該装置は、ハードウェア回路又はハードウェアとソフトウェアとの組み合わせの形態により、主制御デバイスの全部又は一部として構成されて、図２、図３又は図９に示されるデバイス制御方法を実施し得る。該装置は、コントロールウィジェット表示モジュール１３０１と、命令決定モジュール１３０２と、送信モジュール１３０３と、属性取得モジュール１３０４と、インタフェース表示モジュール１３０５と、設定モジュール１３０６とを含み得る。
【００９５】
コントロールウィジェット表示モジュール１３０１は、被制御デバイスに対応するコントロールウィジェットをロック画面中に表示するように構成されている。
【００９６】
命令決定モジュール１３０２は、該コントロールウィジェットに対するトリガ操作が検出された場合に、該コントロールウィジェットに対応する制御命令を決定するように構成されている。
【００９７】
送信モジュール１３０３は、該被制御デバイスに該制御命令を送信するように構成されている。該制御命令は、該被制御デバイスに対して該制御命令に対応する既定の操作を実行するよう命令するように構成される。
【００９８】
該コントロールウィジェット表示モジュール１３０１は、第１表示サブモジュール１３０１ａと、第２表示サブモジュール１３０１ｂとを含んでいる。
【００９９】
第１表示サブモジュール１３０１ａは、該ロック画面中にデバイス識別子リストを表示するように構成されている。該デバイス識別子リストは、該被制御デバイスの識別子を含んでいる。
【０１００】
第２表示サブモジュール１３０１ｂは、該被制御デバイスの識別子に対する選択操作が検出された場合に、該ロック画面中の指定位置に該被制御デバイスのコントロールパネルを表示するように構成されている。該コントロールパネルは、該コントロールウィジェットを含んでいる。
【０１０１】
属性取得モジュール１３０４は、該コントロールウィジェット表示モジュール１３０１が該被制御デバイスに対応するコントロールウィジェットをロック画面中に表示する前に、該コントロールウィジェットの表示属性を取得するように構成されている。該表示属性は、該ロック画面中に表示するか否かを指示するように構成される。
【０１０２】
該コントロールウィジェット表示モジュール１３０１は、該表示属性が該ロック画面中に表示することを指示している場合に、該被制御デバイスに対応するコントロールウィジェットをロック画面中に表示するように構成されている。
【０１０３】
インタフェース表示モジュール１３０５は、該コントロールウィジェットの表示属性を取得する前に、属性設定インタフェースを表示するように構成されている。該属性設定インタフェースは、該コントロールウィジェットの設定オプションを含んでいる。
【０１０４】
設定モジュール１３０６は、該コントロールウィジェットの設定オプションに対する設定操作に基づいて、該コントロールウィジェットの表示属性を設定するように構成されている。
【０１０５】
該命令決定モジュール１３０２は、オーディオキャプチャサブモジュール１３０２ａと、音声認識サブモジュール１３０２ｂと、命令決定サブモジュール１３０２ｃとを含んでいる。
【０１０６】
オーディオキャプチャサブモジュール１３０２ａは、該コントロールウィジェットに対するトリガ操作が検出された場合に、オーディオキャプチャユニットを通じて音をキャプチャするように構成されている。
【０１０７】
音声認識サブモジュール１３０２ｂは、キャプチャされた該音に対して音声認識を行うことにより、音声テキストを取得するように構成されている。
【０１０８】
命令決定サブモジュール１３０２ｃは、該音声テキストに対応する該制御命令を決定するように構成されている。
【０１０９】
該命令決定サブモジュール１３０２ｃは、さらに、送信ユニット１３０２ｃ１と、受信ユニット１３０２ｃ２とを含んでいる。
【０１１０】
送信ユニット１３０２ｃ１は、クラウドサーバに問い合わせ要求を送信するように構成されている。該問い合わせ要求は、該音声テキストを含んでいる。
【０１１１】
受信ユニット１３０２ｃ２は、該クラウドサーバが該音声テキストに基づいて決定及び返送した該制御命令を受信するように構成されている。
【０１１２】
以上のように、本開示の実施形態により提供されるデバイス制御装置では、被制御デバイスに対応するコントロールウィジェットがロック画面中に表示され、該コントロールウィジェットに対するトリガ操作が検出された場合に、該コントロールウィジェットに対応する制御命令が決定され、該被制御デバイスに該制御命令が送信され、該制御命令は、該被制御デバイスに対して該制御命令に対応する既定の操作を実行するよう命令するために用いられる。これにより、ユーザは、主制御デバイスをアンロックせず、デバイスを制御するためのアプリケーションに入ることなく、主制御デバイスのロック画面上にてコントロールウィジェットを介して迅速に被制御デバイスを制御して関連する操作を行うことができる。したがって、ロック画面状態の主制御デバイスを通じて被制御デバイスの制御を行う操作ステップが簡略化される。
【０１１３】
本開示はさらにデバイス制御装置を提供し、該装置は、プロセッサと、前記プロセッサにより実行可能な命令を記憶するように構成されたメモリとを含んでいる。
前記プロセッサは、
被制御デバイスに対応するコントロールウィジェットをロック画面中に表示し、
前記コントロールウィジェットに対するトリガ操作が検出された場合に、前記コントロールウィジェットに対応する制御命令を決定し、
前記被制御デバイスに前記制御命令を送信し、前記制御命令は、前記被制御デバイスに対して前記制御命令に対応する既定の操作を実行するよう命令するために用いられる
ように構成されている。
【０１１４】
選択的には、前記被制御デバイスに対応するコントロールウィジェットをロック画面中に表示することが、
前記ロック画面中にデバイス識別子リストを表示することであって、前記デバイス識別子リストは、前記被制御デバイスの識別子を含んでいる、ことと、
前記被制御デバイスの識別子に対する選択操作が検出された場合に、前記ロック画面中の指定位置に前記被制御デバイスのコントロールパネルを表示することであって、前記コントロールパネルは、前記コントロールウィジェットを含んでいる、ことと
を含んでいる。
【０１１５】
選択的には、前記方法が、さらに、
前記被制御デバイスに対応するコントロールウィジェットをロック画面中に表示する前に、前記コントロールウィジェットの表示属性を取得することであって、前記表示属性は、前記ロック画面中に表示するか否かを指示するために用いられる、ことと、
前記コントロールウィジェットの表示属性が前記ロック画面中に表示することを指示している場合に、前記被制御デバイスに対応するコントロールウィジェットをロック画面中に表示することと
を含んでいる。
【０１１６】
選択的には、前記方法が、さらに、
前記コントロールウィジェットの表示属性を取得する前に、属性設定インタフェースを表示することであって、前記属性設定インタフェースは、前記コントロールウィジェットの設定オプションを含んでいる、ことと、
前記コントロールウィジェットの設定オプションに対する設定操作に基づいて、前記コントロールウィジェットの表示属性を設定することと
を含んでいる。
【０１１７】
選択的には、前記コントロールウィジェットに対するトリガ操作が検出された場合に、前記コントロールウィジェットに対応する制御命令を決定することが、
前記コントロールウィジェットに対するトリガ操作が検出された場合に、オーディオキャプチャユニットを通じて音をキャプチャすることと、
キャプチャされた前記音に対して音声認識を行うことにより、音声テキストを取得することと、
前記音声テキストに対応する前記制御命令を決定することと
を含んでいる。
【０１１８】
選択的には、前記音声テキストに対応する前記制御命令を決定することが、
クラウドサーバに問い合わせ要求を送信することであって、前記問い合わせ要求は、前記音声テキストを含んでいる、ことと、
前記クラウドサーバが前記音声テキストに基づいて決定及び返送した前記制御命令を受信することと
を含んでいる。
【０１１９】
なお、上述の実施形態により提供される装置は、明確性のため、その機能を実現するための各機能モジュールに分割されているが、実際的応用では、実際の要求に応じて上述の機能を異なる機能モジュールに分配してもよい。すなわち、デバイスの内容構造を、異なる機能モジュールに分割して、上述の全部又は一部の機能を実現してもよい。
【０１２０】
上述の実施形態における装置に関し、その中の各モジュールの操作を実行するための方式は、該方法に関する実施形態において詳細に説明されており、ここでは詳述しない。
【０１２１】
図１４は、例示の実施形態に基づく装置１４００のブロック図である。例えば、装置１４００は、スマートフォン、ウェアラブルデバイス、スマートテレビ及び車載端末等の被制御デバイスであってもよい。
【０１２２】
図１４を参照すると、装置１４００は、以下の１つ又は複数のコンポーネント、すなわち、処理コンポーネント１４０２、メモリ１４０４、電源コンポーネント１４０６、マルチメディアコンポーネント１４０８、オーディオコンポーネント１４１０、入力／出力（Ｉ／Ｏ）インタフェース１４１２、センサコンポーネント１４１４及び通信コンポーネント１４１６を含んでいてもよい。
【０１２３】
処理コンポーネント１４０２は、典型的には、装置１４００の全体的な操作、例えば、表示、電話呼出し、データ通信、カメラ操作及び記録操作に関する操作などを制御する。処理コンポーネント１４０２は、上述の方法におけるステップの全部又は一部を実施するための命令を実行する１つ又は複数のプロセッサ１４２０を含んでいてもよい。さらに、処理コンポーネント１４０２は、処理コンポーネント１４０２と他のコンポーネントとの間の対話を容易にする１つ又は複数のモジュールを含んでいてもよい。例えば、処理コンポーネント１４０２は、マルチメディアコンポーネント１４０８と処理コンポーネント１４０２との間の対話を容易にするマルチメディアモジュールを含んでいてもよい。
【０１２４】
メモリ１４０４は、装置１４００の操作をサポートするための種々のタイプのデータを保存するように構成されている。このようなデータの例には、装置１４００上において操作される任意のアプリケーション又は方法のための命令、連絡先データ、電話帳データ、メッセージ、ピクチャ、ビデオ等が含まれる。メモリ１４０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【０１２５】
電源コンポーネント１４０６は、装置１４００の種々のコンポーネントに電力を供給する。電源コンポーネント１４０６は、電源管理システム、１つ又は複数の電源、及び、装置１４００において電力を生成、管理及び分配することに関する任意の他のコンポーネントを含んでいてもよい。
【０１２６】
マルチメディアコンポーネント１４０８は、装置１４００とユーザとの間に出力インタフェースを提供するスクリーンを含む。いくつかの実施形態では、スクリーンは液晶ディスプレイ（ＬＣＤ）及びタッチパネル（ＴＰ）を含んでいてもよい。スクリーンがタッチパネルを含んでいる場合には、スクリーンはユーザからの入力信号を受信するためのタッチスクリーンとして実装されていてもよい。タッチパネルは、タッチ、スワイプ及びタッチパネル上における他のジェスチャを感知するための１つ又は複数のタッチセンサを含む。上記タッチセンサは、タッチ又はスワイプ操作の境界を感知してもよく、それだけでなくタッチ又はスワイプ操作に関する持続時間及び圧力を感知してもよい。いくつかの実施形態では、マルチメディアコンポーネント１４０８は、前面カメラ及び／又は背面カメラを含む。装置１４００が撮影モード又はビデオモードのような操作モードにある際には、前面カメラ及び背面カメラは、外部マルチメディアデータを受信してもよい。前面カメラ及び背面カメラはそれぞれ、固定式光学レンズシステムであってもよく、フォーカス機能及び光学ズーム機能を有していてもよい。
【０１２７】
オーディオコンポーネント１４１０は、オーディオ信号を出力及び／又は入力するように構成されている。例えば、オーディオコンポーネント１４１０はマイク（ＭＩＣ）を含んでおり、該マイクは、装置１４００が呼出しモード、記録モード及び音声認識モードのような操作モードにある際に、外部オーディオ信号を受信するように構成されている。受信されたオーディオ信号は、さらに、メモリ１４０４内に保存されてもよく、通信コンポーネント１４１６を経由して送信されてもよい。いくつかの実施形態では、オーディオコンポーネント１４１０は、オーディオ信号を出力するためのスピーカをさらに含んでいてもよい。
【０１２８】
Ｉ／Ｏインタフェース１４１２は、処理コンポーネント１４０２と、キーボード、クリックホイール、ボタン等の周辺インタフェースモジュールとの間に、インタフェースを提供する。該ボタンは、限定されないが、ホームボタン、ボリュームボタン、スタートボタン及びロックボタンを含んでいてもよい。
【０１２９】
センサコンポーネント１４１４は、装置１４００における種々の様相の状態評価を提供するための１つ又は複数のセンサを含む。例えば、センサコンポーネント１４１４は、装置１４００のオープン／クローズ状態及びコンポーネントの相対位置を検出してもよく、例えば、該コンポーネントは、装置１４００のディスプレイ及びキーパッドであってもよい。センサコンポーネント１４１４はまた、装置１４００又は装置１４００のコンポーネントの位置の変化、装置１４００とコンタクトを取っているユーザの存在又は不存在、装置１４００の向き又は加速／減速、及び装置１４００の温度変化を検出してもよい。センサコンポーネント１４１４は、物理的接触のない状態で近くの物体の存在を検出するように構成された近接センサを含んでいてもよい。センサコンポーネント１４１４はまた、撮影アプリケーションにおいて使用するための、ＣＭＯＳ又はＣＣＤイメージセンサのような光センサを含んでいてもよい。いくつかの実施形態では、センサコンポーネント１４１４はまた、加速度センサ、ジャイロセンサ、磁気センサ、圧力センサ又は温度センサを含んでいてもよい。
【０１３０】
通信コンポーネント１４１６は、装置１４００と他の装置との間の有線又は無線の通信を容易にするように構成されている。装置１４００は、ＷｉＦｉ、２Ｇ若しくは３Ｇ、又はそれらの組み合わせのような通信規格に基づく無線ネットワークにアクセスすることができる。例示の一実施形態では、通信コンポーネント１４１６は、ブロードキャストチャンネルを経由して、外部ブロードキャスト管理システムからのブロードキャスト信号又はブロードキャスト関連情報を受信する。例示の一実施形態では、通信コンポーネント１４１６は、短距離通信を促進するための近距離通信（ＮＦＣ）モジュールをさらに含む。例えば、ＮＦＣモジュールは、無線周波数識別（ＲＦアイデンティティ）技術、赤外線データ協会（ＩｒＤＡ）技術、超広帯域（ＵＷＢ）技術、ブルートゥース（ＢＴ）技術及び他の技術に基づいて実装されていてもよい。
【０１３１】
例示の実施形態では、装置１４００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【０１３２】
例示の実施形態では、命令を含んだメモリ１４０４のような、命令を含んだ非一時的なコンピュータ読み取り可能記憶媒体もまた提供され、上記命令は、上述の方法を実施するために、装置１４００のプロセッサ１４２０によって実行可能である。例えば、非一時的なコンピュータ読み取り可能記憶媒体は、ＲＯＭ，ＲＡＭ、ＣＤ−ＲＯＭ、磁気テープ、フロッピーディスク及び光学データ記憶デバイス等であってもよい。
【０１３３】
本開示の実施形態はまた、装置１４００のプロセッサにより実行された際に上述のデバイス制御方法を装置１４００に実行させる命令を含んでいる、非一時的なコンピュータ読み取り可能記憶媒体を提供する。
【０１３４】
当業者は、明細書及び本明細書に開示された本発明の実施を考慮して、本発明の他の実施形態に容易に想到するであろう。本出願は、本発明の任意の変形、使用又は翻案に及ぶことを意図しており、これらの変形、使用又は翻案は、本発明の一般的な原理に従うものであると共に、当該技術分野における公知技術又は慣用技術の範囲内における本開示からの逸脱を含む。明細書及び実施例は単なる例示とみなされ、本発明の真の範囲及び趣旨は以下の特許請求の範囲によって示されることが意図される。
【０１３５】
本発明は、上述の及び添付の図面に図示された厳密な構成に限定されるものではなく、本発明の範囲から逸脱することなく、様々な修正及び変更がなされ得ることを理解されたい。本開示の範囲は、添付の特許請求の範囲によってのみ限定される。
【図１】
0006488375.tif 000002
【図２】
0006488375.tif 000003
【図３】
0006488375.tif 000004
【図４】
0006488375.tif 000005
【図５】
0006488375.tif 000006
【図６】
0006488375.tif 000007
【図７】
0006488375.tif 000008
【図８】
0006488375.tif 000009
【図９】
0006488375.tif 000010
【図１０】
0006488375.tif 000011
【図１１】
0006488375.tif 000012
【図１２】
0006488375.tif 000013
【図１３】
0006488375.tif 000014
【図１４】
0006488375.tif 000015